(57)【特許請求の範囲】
【請求項１】
下端に取付部を有した円筒状の胴体の上端部に、頂面が閉じて下端が開口し、かつ側面に通水口を開設した中空状の頭体の下端部を、水密性を有したベアリング機構により回転自在に連結して一体化し、かつ、前記ベアリング機構を、頭体の下端部内周に固着された回転部材と、下部が胴体の上端部内周に固着されて上部外周面が前記回転部材の内周面に摺接する固定部材と、前記回転部材と固定部材との摺接面に介在されるシールリングおよび転動可能なボールとから構成し、前記回転部材が、内周面にシールリングを介入する介入溝とボールを転動可能に介入する断面半円状の周溝とを有すると共に、回転部材の厚味方向で貫通して前記周溝に達する挿入孔を設けて成り、前記固定部材が、前記回転部材の下面を受け、かつ胴体の上部内周に固着される受部分と、この受部分の内周面から上方に延びて外周面が前記回転部材の内周面と摺接し、かつ外周に前記周溝と合致してボールを転動可能に介入する断面半円状の周溝を有した摺接部分とから成ることを特徴とした消火栓、送水管または採水管を構成する管本体。
【請求項２】
胴体と頭体と回転部材と固定部材とが、それぞれステンレスから成る請求項１記載の消火栓、送水管または採水管を構成する管本体。
【請求項３】
請求項１または２記載の消火栓、送水管または採水管を構成する管本体が、消火栓を構成する管本体であって、頭体の頂面を水平状に閉じ、この水平状の頂面の中心部に挿通孔を開設すると共に、その下部に弁機構を開閉操作する操作軸を支承するシール軸承リングを設けて成る消火栓を構成する管本体。
【請求項４】
頂面が閉じて下端が開口し、かつ側面に通水口を開設した中空状のステンレスから成る頭体と、上部外周に前記頭体の下端部を嵌合する嵌合軸部の内周に介入溝と断面半円状の周溝とを有し、かつ厚味方向で貫通して周溝に達する挿入孔を有したステンレスから成る回転部材と、円筒状に延びるステンレスから成る胴体と、下部外周に前記胴体の上端部を嵌合する嵌合軸部を有し、上面が前記回転部材の下面を受ける受部分の内周面に、それから上方に延びて外周面が前記回転部材の内周面と摺接し、かつ外周に前記周溝と合致する断面半円形の周溝を有した摺接部分を設けたステンレスから成る固定部材とから成り、頭体の下端部を回転部材の嵌合軸部に、また胴体の上端部を固定部材の嵌合軸部にそれぞれ嵌合して熔着し、かつ前記介入溝にシールリングを介入した状態で回転部材の内周面に固定部材の外周面を摺接したのち、挿入孔を介して多数のボールを前記周溝内に介入し、前記挿入孔に封口軸を設けたことを特徴とする消火栓、送水管または採水管を構成する管本体の製造方法。
【発明の詳細な説明】
【０００１】
【発明の属する技術分野】
本発明は、消火栓、送水管または採水管を構成する管本体およびその製造方法に関する。
【０００２】
【従来の技術】
従来、地上などに設置されるスタンド形の消火栓，送水管または採水管を構成する管本体は、一般に軸方向に長い円筒状の胴体から成り、その頂部は球面凸状に湾曲して閉じており、側面に単口または双口の通水口を有し、下端には、設置面に設けられた給水部や地中に埋設された水道管などの給水機構に接続するためのねじ乃至フランジから成る接続部を有した構成のものであった。
【０００３】
【発明が解決しようとする課題】
ところが上記した従来の構成によれば、管本体を地上などに設置した場合、通水口の向きは自ら一定となるので、通水口に対する消火用ホースや送水ホースなどの接続方向に融通性を欠くという使用上の不便を有すると共に、消火用ホースや送水ホースなどの接続態様によっては通水口との接続部に無理な外力が作用して機械的損傷を招くなどの不都合があった。
【０００４】
【課題を解決するための手段】
そこで、本発明は上記した従来のものの不都合を解消するために、下端に取付部を有した円筒状の胴体の上端部に、頂面が閉じて下端が開口し、かつ側面に通水口を開設した中空状の頭体の下端部を、水密性を有したベアリング機構により回転自在に連結して一体化し、かつ、前記ベアリング機構を、頭体の下端部内周に固着された回転部材と、下部が胴体の上端部内周に固着されて上部外周面が前記回転部材の内周面に摺接する固定部材と、前記回転部材と固定部材との摺接面に介在されるシールリングおよび転動可能なボールとから構成し、前記回転部材が、内周面にシールリングを介入する介入溝とボールを転動可能に介入する断面半円状の周溝とを有すると共に、回転部材の厚味方向で貫通して前記周溝に達する挿入孔を設けて成り、前記固定部材が、前記回転部材の下面を受け、かつ胴体の上部内周に固着される受部分と、この受部分の内周面から上方に延びて外周面が前記回転部材の内周面と摺接し、かつ外周に前記周溝と合致してボールを転動可能に介入する断面半円状の周溝を有した摺接部分とから成ることを特徴とした消火栓、送水管または採水管を提供するものである。
【０００５】
上記において好ましくは、胴体と頭体と回転部材と固定部材とがそれぞれステンレスから成る。
【０００６】
また、上記において、管本体が消火栓を構成する管本体であるときは、頭体の頂面を水平状に閉じ、この水平上の頂面の中心部に挿通孔を開設すると共に、その下部に弁機構を開閉操作する操作軸を支承するシール軸承リングを設けて成る。
【０００７】
さらに本発明は、頂面が閉じて下端が開口し、側面に通水用の円口を開設した中空状のステンレスから成る頭体と、上部外周に前記頭体の下端部を嵌合する嵌合軸部の内周に介入溝と断面半円状の周溝とを有し、かつ厚味方向で貫通して周溝に達する挿入孔を有したステンレスから成る回転部材と、円筒状に延びるステンレスから成る胴体と、下部外周に前記胴体の上端部を嵌合する嵌合軸部を有し、上面が前記回転部材の下面を受ける受部分の内周面に、それから上方に延びて外周面が前記回転部材の内周面と摺接し、かつ外周に前記周溝と合致する断面半円形の周溝を有した摺接部分を設けたステンレスから成る固定部材とから成り、頭体の下端部を回転部材の嵌合軸部に、また胴体の上端部を固定部材の嵌合軸部にそれぞれ嵌合して熔着し、かつ前記介入溝にシールリングを介入した状態で回転部材の内周面に固定部材の外周面を摺接したのち、挿入孔を介して多数のボールを前記周溝内に介入して前記挿入孔に封口軸を設けたことを特徴とする消火栓、送水管または採水管を構成する管本体の製造方法を提供する。
【０００８】
【発明の実施の形態】
以下図面にもとづいて本発明の実施の態様を詳述する。
図１は単口の通水口を有した消火栓用の管本体を示す一部省略し、かつ半裁した側面図であり、この管本体１は、長尺な胴体２と、その上部にベアリング機構３を介して回転自在に連結される頭体４とから構成されている。
【０００９】
前記胴体２は、長尺な円筒状のステンレスパイプから成り、その下端に弁機構内部を備えた弁筐３０の上部フランジにねじ軸によって取付けられるステンレス製のフランジから成る取付部５が熔着により設けてある。
【００１０】
前記頭体４は、前記胴体２と同一の径を有する円筒状のステンレスパイプの上部を湾状に絞り加工して成る筒部４１上端面に、ステンレス板から成る頂部４２を熔着することにより構成され、筒部４１側面には、外向き屈曲した環状のリブ６を有した円口７が設けてあり、この円口７に、外周後部に係合段部８を、内周前部に接続用のねじ９をそれぞれ有したステンレスパイプから成る環状の口部材１０が、円口７に係合段部８を嵌合してその嵌合部を熔着することにより取付けてあり、これによって通水口１１が形成される。
【００１１】
また前記頭体４の頂部４２には、その中心部に挿通孔１２が穿設され、その下部には、後述する操作軸３３を水密上に支承するシール軸承リング１３が取り付けてある。
【００１２】
このように構成されたステンレス製の胴体２と頭体４とを回転自在に連結するベアリング機構３は、前記頭体４の下端部内周に固着される環状の回転部材１６と、下部が前記胴体２の上端部外周に固着されて前記回転部材１６の内面に摺接する環状の固定部材１７と、回転部材１６と固定部材１７との摺接面に介在される多数のボール１８およびパッキンなどのシールリング１９とから成る。
【００１３】
前記回転部材１６は、部厚いステンレスパイプから成り、図２で示すようにその上部外周には前記頭体４の下端部と嵌合する嵌合軸部２０が、またその下部内周には前記ボール１８を回転可能に嵌入する断面半円状の周溝２２が、さらにまた下部には厚味方向で貫通して周溝２２まで達する挿入孔２３がそれぞれ設けてある。
【００１４】
前記固定部材１７も亦部厚いステンレスパイプから成り、外周面が前記回転部材１６の内周面の全幅で摺接可能な高さを有し、かつ図３で示すように下部外周面に沿って前記周溝２２と合致して前記ボール１８を回転可能に嵌入する断面半円状の周溝２４を有した部厚い筒状の摺接部分２５と、該摺接部分２５の下部外周に設けられて上面で前記回転部材１６の下面を受け、かつ外周下部に前記胴体２の上端部と嵌合する嵌合軸部２６を有した受部分２７とから成る。
【００１５】
上記において、固定部材１７を、摺接部分２５の厚味に受部分２７の厚味を加えた部厚いステンレスパイプにより切削加工して作製してもよいが、この構成によれば、切削部分が多くなり、材料費が無駄になるばかりでなく切削加工に手数を要するため、本例では摺接部分２５と受部分２７とをそれぞれ別体のステンレスパイプから作製して、摺接部分２５の下部外面に受部分２７の上部内面を嵌合してその嵌合部を熔着して一体化した場合を示している。
【００１６】
しかして、頭体４の下部内周に回転部材１６の嵌合軸部２０を嵌合し、また胴体２の上部内周に受部分２７の嵌合軸部２６をそれぞれ嵌合してそれらの嵌合部を熔着し、かつ介入溝２１にシールリング１９を介入した状態で回転部材１６の内周面を固定部材１７の外周面に摺接し、次いで多数のボール１８を挿入孔２３から周溝２２と２４との間に介入したのち、挿入孔２３に封口軸２８を設けることにより、胴体２に対し頭体４をベアリング機構１５を介して回転自在に連結する。
【００１７】
なお使用態様においては、フランジから成る取付部５は、地下に埋設された給水機構の取水口部に下部フランジが接続された弁筺３０の上部フランジにねじ軸により取付けられる。また管本体１には、角状の回動操作部３１を上面に突設して前記頭体４の頂部４２の面上に回転自在に支持される接合部３２を有すると共に、その下端部に前記弁筺３０内に備えた弁機構を開閉操作する操作軸３３を有した操作部材３５が取付けられ、前記操作軸３３は挿通孔１２を介して管本体１内に挿通されて、シール軸承リング１３により水密状態に、かつ回転可能に支承される。
【００１８】
しかして使用に際しては、管本体１の頭体の通水口１１に、これに螺合接続される差し金具を介して消火用ホースが接続され、かつ回動操作部３１を所定の器具で回動して弁機構を開弁すると、地下に埋設した給水機構からの消火用水は、弁筺３０から管本体１内を経て通水口１１から消火用ホースに供給される。
【００１９】
なお上記において、挿入孔２３をねじ孔とし、これに封口軸２８を螺合して封口する構成が採用される。
【００２０】
図４は、送水管や採水管用の管本体を示す一部省略し、かつ半裁した側面図を示しており、前記消火栓用の管本体１と相違するところは、操作軸３３を取付ける必要がないことから、頭体４の頂部４２を球状に形成して、挿通孔１２とシール軸承リング１３とを省略し、かつ取付部５をフランジに代えて、ねじを下部外周に形成したステンレス製の接続リング１４を胴体２の下端部に嵌合熔着した点である。
【００２１】
図５は胴体２の上部にも通水口２５を設けた双口型の管本体を示しており、下位の通水口２９はその向きが固定されてあるのに対し、頭体３に設けた通水口１１は水平方向において自由な向きを指向する。
【００２２】
【発明の効果】
以上のように本発明によれば、円筒状の胴体上部に、通水口を側面に有した頭体を回転自在に連結して成るので、通水口を自由な方向に指向することができて消火用ホースなどの接続に極めて便利であると共に、回転機能によって接続部に無理な外力が作用する惧れもなく、また円滑な回転機能と確実な水密性が得られると共に、受部分の存在によって機械的に安定したベアリング機能が得られると共に、構成も簡単であるという利点を有する。
【００２３】
特に、請求項２記載の発明によれば、耐腐食性に秀れると共に軽量で機械的強度に秀れた製品が提供できる。
【図面の簡単な説明】
【図１】一部省略した半裁の総体側面図
【図２】回転部材の半裁側面図
【図３】固定部材の半裁側面図
【図４】他の実施例における一部省略した総体正面図
【図５】さらに他の実施例における一部省略した総体正面図
【符号の説明】
１    管本体
２    胴体
３    ベアリング機構
４    頭体
１１  通水口
１５  ベアリング機構
１６  回転部材
１７  固定部材
１８  ボール
１９  シールリング
２０、２６  嵌合軸部
２１  介入溝
２２、２４  周溝
２３  挿入口
２５  摺接部分
２７  受部分
【図１】
0003624366.tif 000002
【図２】
0003624366.tif 000003
【図３】
0003624366.tif 000004
【図４】
0003624366.tif 000005
【図５】
0003624366.tif 000006